(57)【特許請求の範囲】
【請求項１】
刃が配されたヘッド部に放電電極を設けて、一極が上記ヘッド部の刃における内刃に接続された高電圧発生回路の他極を上記放電電極に接続してこの放電電極を内刃収納室の底部に配していることを特徴とする電気かみそり。
【請求項２】
刃が配されたヘッド部に放電電極を設けて、一極が上記ヘッド部の刃における内刃に接続された高電圧発生回路の他極を上記放電電極に接続してこの放電電極を内刃駆動用の駆動子における内刃との係合連結部としていることを特徴とする電気かみそり。
【請求項３】
放電電極を針状としていることを特徴とする請求項１または２記載の電気かみそり。
【請求項４】
刃が配されたヘッド部に放電電極を設けて、一極が上記ヘッド部の刃における内刃に接続された高電圧発生回路の他極を上記放電電極に接続したものであって、内刃は複数のアーチ状ブレードが並ぶ往復動型のものであり、高電圧発生回路の他極の放電電極は、各アーチ状ブレードの中心部に配設されていることを特徴とする電気かみそり。
【請求項５】
刃が配されたヘッド部に放電電極を設けて、一極が上記ヘッド部の刃における内刃に接続された高電圧発生回路の他極を上記放電電極に接続したものであって、内刃は複数のブレードが並ぶ往復動型のものであり、高電圧発生回路の他極の放電電極は、各ブレードの間に配設されていることを特徴とする電気かみそり。
【請求項６】
刃が配されたヘッド部に放電電極を設けて、一極が上記ヘッド部の刃における内刃に接続された高電圧発生回路の他極を上記放電電極に接続したものであって、内刃は複数の独立したブレードが並ぶ往復動型のものであり、高電圧発生回路の一極に接続されたブレードと高電圧発生回路の他極の放電電極としてのブレードとが交互に並んでいることを特徴とする電気かみそり。
【請求項７】
刃が配されたヘッド部に放電電極を設けて、一極が上記ヘッド部に接続された高電圧発生回路の他極を上記放電電極に接続するとともに、高電圧発生回路の一極を内刃収納室の底部に配していることを特徴とする電気かみそり。
【請求項８】
高電圧発生回路の他極の放電電極をヘッド部の刃における内刃としていることを特徴とする請求項７記載の電気かみそり。
【請求項９】
高電圧発生回路の他極の放電電極をヘッド部の刃における外刃としていることを特徴とする請求項７記載の電気かみそり。
【請求項１０】
高電圧発生回路の他極の放電電極をヘッド部の外刃フレームに設けていることを特徴とする請求項７記載の電気かみそり。
【請求項１１】
高電圧発生回路の他極の放電電極を内刃の下部に配していることを特徴とする請求項７記載の電気かみそり。
【請求項１２】
放電電極を針状としていることを特徴とする請求項１０または１１記載の電気かみそり。
【請求項１３】
放電電極を一極と対面する面状としていることを特徴とする請求項１１記載の電気かみそり。
【請求項１４】
刃が配されたヘッド部に放電電極を設けて、一極が上記ヘッド部に接続された高電圧発生回路の他極を上記放電電極に接続したものであって、ヘッド部における内刃を配した内刃収納室の底部に互いに逆方向に傾斜して中間部が低くなった対の電極を設けて、一方の電極を高電圧発生回路の一極とし、他方の電極を高電圧発生回路の放電電極としていることを特徴とする電気かみそり。
【請求項１５】
刃が配されたヘッド部に放電電極を設けて、一極が上記ヘッド部に接続された高電圧発生回路の他極を上記放電電極に接続したものであって、高電圧発生回路の一極をヘッド部における内刃を配した内刃収納室内に位置させた外部放電板とし、高電圧発生回路の他極をヘッド部に設けていることを特徴とする電気かみそり。
【請求項１６】
高電圧発生回路の他極を内刃としていることを特徴とする請求項１５記載の電気かみそり。
【請求項１７】
高電圧発生回路の他極を外刃としていることを特徴とする請求項１５記載の電気かみそり。
【請求項１８】
高電圧発生回路の他極を内刃収納室の底部に配していることを特徴とする請求項１５記載の電気かみそり。
【請求項１９】
高電圧発生回路の他極を内刃と外刃と内刃収納室の底部に配していることを特徴とする請求項１５記載の電気かみそり。
【請求項２０】
刃が配されたヘッド部とトリマー部とを備えた電気かみそりにおいて、ヘッド部に放電電極を設けて、一極が上記トリマー部に接続された高電圧発生回路の他極を上記放電電極に接続していることを特徴とする電気かみそり。
【請求項２１】
高電圧発生回路の他極を外刃としていることを特徴とする請求項２０記載の電気かみそり。
【請求項２２】
高電圧発生回路の他極を内刃としていることを特徴とする請求項２０記載の電気かみそり。
【請求項２３】
高電圧発生回路の他極を内刃収納室の底部に配していることを特徴とする請求項２０記載の電気かみそり。
【請求項２４】
ヘッド部における外刃フレームが開閉自在となっており、高圧放電装置は該外刃フレームの開閉に連動してオンオフされるものであることを特徴とする請求項１〜２３のいずれかの項に記載の電気かみそり。
【請求項２５】
高電圧発生回路は、ヘッド部における内刃駆動用のモータのオンオフに連動してオンオフされるものであることを特徴とする請求項１〜２３のいずれかの項に記載の電気かみそり。
【請求項２６】
刃が配されたヘッド部に放電電極を設けて、一極が上記ヘッド部に接続された高電圧発生回路の他極を上記放電電極に接続したものであって、一極に対する向きが異なる複数の放電電極を設けるとともに、他極である放電電極を切り換え自在としていることを特徴とする電気かみそり。
【発明の詳細な説明】
【０００１】
【発明の属する技術分野】
本発明は、電気かみそり、殊に刃部の抗菌や髭くずの処理に関するものである。
【０００２】
【従来の技術】
電気かみそりは、外刃に設けられた刃孔から外刃内に導入した髭を外刃と外刃の内面に摺接する内刃とによって切断し、髭くずを内刃収納室の底部に貯めるものとなっている。
【０００３】
そして内刃収納室に溜まった髭くずは、内刃収納室を開放してブラシなどで掃除したり、防水構造となったものでは水洗したりしていた。
【０００４】
【発明が解決しようとする課題】
髭を切断した時、すべての髭くずが内刃収納室に入るわけではなく、飛散してしまう髭くずの量が多い。また、内刃や外刃に髭くずが付着するとともに、付着した髭くずは掃除を行っても残ってしまい、衛生的に問題がある。
【０００５】
本発明はこのような点に鑑みなされたものであって、その目的とするところは髭くずの飛散や衛生上の問題をなくした電気かみそりを提供するにある。
【０００６】
【課題を解決するための手段】
しかして本発明は、刃が配されたヘッド部に放電電極を設けて、一極が上記ヘッド部の刃における内刃に接続された高電圧発生回路の他極を上記放電電極に接続してこの放電電極を内刃収納室の底部に配していることに第１の特徴を有しており、刃が配されたヘッド部に放電電極を設けて、一極が上記ヘッド部の刃における内刃に接続された高電圧発生回路の他極を上記放電電極に接続してこの放電電極を内刃駆動用の駆動子における内刃との係合連結部としていることに第２の特徴を有している。
【０００７】
高電圧発生回路の一極と他極である放電電極との間に高電圧を印加することで、コロナ放電による電界で抗菌作用を発生させたり、Ｇｒａｄｉｅｎｔ力で髭くずを内刃収納室内に導いたり、帯電させた髭くずを電極に吸着させたりするのである。放電電極には針状としたものを好適に用いることができる。
また本発明は、刃が配されたヘッド部に放電電極を設けて、一極が上記ヘッド部の刃における内刃に接続された高電圧発生回路の他極を上記放電電極に接続したものであって、内刃は複数のアーチ状ブレードが並ぶ往復動型のものであり、高電圧発生回路の他極の放電電極は、各アーチ状ブレードの中心部に配設されていることに第３の特徴を有しており、刃が配されたヘッド部に放電電極を設けて、一極が上記ヘッド部の刃における内刃に接続された高電圧発生回路の他極を上記放電電極に接続したものであって、内刃は複数のブレードが並ぶ往復動型のものであり、高電圧発生回路の他極の放電電極は、各ブレードの間に配設されていることに第４の特徴を有しており、刃が配されたヘッド部に放電電極を設けて、一極が上記ヘッド部の刃における内刃に接続された高電圧発生回路の他極を上記放電電極に接続したものであって、内刃は複数の独立したブレードが並ぶ往復動型のものであり、高電圧発生回路の一極に接続されたブレードと高電圧発生回路の他極の放電電極としてのブレードとが交互に並んでいることに第５の特徴を有しており、さらに刃が配されたヘッド部に放電電極を設けて、一極が上記ヘッド部に接続された高電圧発生回路の他極を上記放電電極に接続するとともに、高電圧発生回路の一極を内刃収納室の底部に配していることに第６の特徴を有している。これらのものにおいても、高電圧発生回路の一極と他極である放電電極との間に高電圧を印加することで、コロナ放電による電界で抗菌作用を発生させたり、Ｇｒａｄｉｅｎｔ力で髭くずを内刃収納室内に導いたり、帯電させた髭くずを電極に吸着させたりするのである。
【０００８】
上記第６の特徴とするところにおいては、高電圧発生回路の他極の放電電極をヘッド部の刃における内刃としたり、ヘッド部の刃における外刃としたり、ヘッド部の外刃フレームに設けたり、内刃の下部に配してもよい。
【０００９】
さらに本発明は、刃が配されたヘッド部に放電電極を設けて、一極が上記ヘッド部に接続された高電圧発生回路の他極を上記放電電極に接続したものであって、ヘッド部における内刃を配した内刃収納室の底部に互いに逆方向に傾斜して中間部が低くなった対の電極を設けて、一方の電極を高電圧発生回路の一極とし、他方の電極を高電圧発生回路の放電電極としていることに第７の特徴を有しており、刃が配されたヘッド部に放電電極を設けて、一極が上記ヘッド部に接続された高電圧発生回路の他極を上記放電電極に接続したものであって、高電圧発生回路の一極をヘッド部における内刃を配した内刃収納室内に位置させた外部放電板とし、高電圧発生回路の他極をヘッド部に設けていることに第８の特徴を有している。これらのものにおいても、高電圧発生回路の一極と他極である放電電極との間に高電圧を印加することで、コロナ放電による電界で抗菌作用を発生させたり、Ｇｒａｄｉｅｎｔ力で髭くずを内刃収納室内に導いたり、帯電させた髭くずを電極に吸着させたりするのである。
【００１０】
上記第８の特徴とするところにおいては、高電圧発生回路の他極を内刃としたり、外刃としたり、内刃収納室の底部に配したり、内刃と外刃と内刃収納室の底部に配したりすることができる。
【００１３】
さらに本発明は、刃が配されたヘッド部とトリマー部とを備えた電気かみそりにおいて、ヘッド部に放電電極を設けて、一極が上記トリマー部に接続された高電圧発生回路の他極を上記放電電極に接続していることに特徴を有している。
【００１４】
この場合の高電圧発生回路の他極は外刃としたり、内刃としたり、内刃収納室の底部に配したりすることができる。
【００１５】
ヘッド部における外刃フレームが開閉自在となっているものにおいては、高圧放電装置は該外刃フレームの開閉に連動してオンオフされるものとしておいてもよい。
【００１６】
また、高電圧発生回路は、ヘッド部における内刃駆動用のモータのオンオフに連動してオンオフされるものとしておいてもよい。
【００１７】
刃が配されたヘッド部に放電電極を設けて、一極が上記ヘッド部に接続された高電圧発生回路の他極を上記放電電極に接続したものであって、一極に対する向きが異なる複数の放電電極を設けるとともに、他極である放電電極を切り換え自在としているものであってもよい。異なる作用を選択的に得ることができる。
【００１８】
【発明の実施の形態】
以下本発明を図示の実施の形態に基づいて詳述すると、図１において、１は駆動用モータを内蔵する本体ハウジングであり、本体ハウジング１の上端面から突出する駆動子１０には内刃３が連結されている。複数枚のブレード３０が並んでいる内刃３は、駆動子１０によって往復駆動される。
【００１９】
そして、上記本体ハウジング１には高電圧発生回路５が内蔵されており、高電圧発生回路５の一極（グランド側）が内刃３の各ブレード３０に接続され、高電圧発生回路５の他極である針状の放電電極５０が本体ハウジング１の上端面（内刃収納室の底面）から立ち上げられて上端を内刃３の近傍に位置させたものとなっている。高電圧発生回路５は放電電極５０に０．１ｋＶ〜１００ｋＶ程度の高電圧を印加することで、放電電極５０と内刃３のブレード３０との間にコロナ放電を行わせ、該放電による電界で抗菌作用を発生して、内刃３に付着した髭くずや脂質に起因する菌の発生を防止する。
【００２０】
放電電極５０は図２に示すように、駆動子１０における内刃３との連結係合部である連結ピン１１を放電電極５０としたものであってもよい。
【００２１】
図３は内刃３の各ブレード３０間に断面が三角形状の放電電極５０を配置し、各ブレード３０をグランドに接続したものを示している。このものでは、放電電極５０と内刃３との間に０．１ｋＶ〜１００ｋＶ程度の高電圧を印加することで、Ｇｒａｄｉｅｎｔ力を発生させ、内刃３のブレード３０間の髭くずを下方へと落とすことで、内刃３への髭くずの付着を防ぐ。図４に示すように、内刃３における一つおきのブレード３０を放電電極５０とし、他のブレード３０をグランドに接続しても同様の作用を得ることができる。
【００２２】
図５に示すものでは、内刃３におけるアーチ状ブレード３０の中心部に棒状の放電電極５０を配置している。放電電極５０と内刃３との間に０．１ｋＶ〜１００ｋＶ程度の高電圧を印加することで、面放電による誘導帯電現象で髭くずをイオン化させ、内刃３間に残っている髭くずを放電電極５０に吸い寄せることで、内刃３のブレード３０への髭くずの付着を防いでいる。
【００２３】
高電圧発生回路５の電源側を本体ハウジング１の上端面（内刃収納室の底部）に配した導電板５１に接続し、高電圧発生回路５の出力側である他極を内刃３に接続してブレード３０を放電電極５０としたものを図６に示す。このものにおいては、内刃３に−０．１ｋＶ〜−１００ｋＶ程度の高電圧を印加するものであり、剃られた髭くずは誘導帯電現象によりイオン化されるために、電源側である導電板５１上に集められる。放電電極５０は図７に示すように、外刃フレーム４０で保持している外刃４としたり、図８に示すように内刃３における導電板５１と対面する下面に配してもよい。
【００２４】
図９は外刃フレーム４０の内面に先端が導電板５１に向けられた針状の放電電極５０を設けたものを示しており、導電板５１に対して放電電極５０に０．１ｋＶ〜１００ｋＶ程度の直流高電圧を印加してコロナ放電を報じさせると、その電界によって髭くずを導電板５１に押しつける力が作用するために、髭くずの飛散が防止される。
【００２５】
図１０に示すように、内刃の下面に先端が導電板５１に向けられた針状の放電電極５０を設けてコロナ放電を生じさせてもよい。
【００２６】
図１１に示したものは、本体ハウジング１の上端面（内刃収納室の底面）に配した導電板５１を２つに分割して、一方５１ａを高電圧発生回路５の一極に接続し、他方５１ｂを他極に接続するとともに、両導電板５１ａ，５１ｂの中央部がもっとも低くなるように両導電板５１ａ，５１ｂを傾斜させたものとなっている。両導電板５１ａ，５１ｂ間に０．１ｋＶ〜１００ｋＶ程度の直流高電圧を印加して面放電させることでＧｒａｄｉｅｎｔ力を発生させれば、髭くずは両導電板５１ａ，５１ｂの間に集められる。導電板５１の分割方向は任意であり、また分割数も図示例に限るものではない。
【００２７】
図１２に示すものでは、内刃収納室内に面状の外部放電板５２を配置し、外部放電板５２にプラス、内刃３にマイナスの数ｋＶの高電圧を印可するようにしたもので、誘導帯電の集塵作用により、プラス側の外部放電板５２に髭くずが吸い寄せられるために、髭くずの飛散や内刃３への髭くずの付着を防ぐことができる。
【００２８】
高電圧発生回路５のマイナス側は図１３に示すように外刃４に接続したり、図１４に示すように内刃収納室底部の導電板５１に接続してもよい。いずれの場合も外部放電板５２に髭くずが吸着されるために、外刃４への髭くずの付着や髭くずの飛散を防いだり、導電板５１上に髭くずが広がってしまうことを防ぐことができる。高電圧発生回路５のマイナス側を内刃３と外刃４と導電板５１のすべてに接続したり、あるいは接続を切りかえることができるようにしておいてもよい。
【００２９】
高電圧発生回路５の一極（グランド側）を本体ハウジング１の少なくとも一部に接続し、他極は内刃３に接続した例を図１５及び図１６に示す。本体ハウジング１は髭剃りに際して使用者が握るところであるために、使用者の体は高電圧発生回路５のグランドと同電位となる。このために、０．１ｋＶ〜１００ｋＶ程度の直流高電圧を内刃３に印加すれば、使用者の体は内刃３との間に高電圧が印加された状態となる。
【００３０】
従って髭を剃るために刃部を肌に近づけると、内刃３との間で誘導帯電現象が起こって髭が内刃３の方に引っ張られる。このために、くせ髭についても刃部に容易に導入することができて剃り残しがなくなる。なお、内刃３の表面には絶縁を施して、肌との接触による短絡を防止する。
【００３１】
一極（グランド側）を本体ハウジング１に接続した高電圧発生回路５の他極は図１７及び図１８に示すように表面が絶縁処理された外刃４に接続したり、あるいは図１９に示すように外刃フレーム４０における外刃４の近傍に接続してもよい。図１８に示すように誘導帯電現象によって髭の起毛がなされるために髭の刃部への導入効率が高くなる。外刃４の近傍に放電電極５０を設置する場合、外刃４を放電電極５０とする場合よりも絶縁処理が容易である。
【００３２】
一極（グランド側）を本体ハウジング１に接続した高電圧発生回路５の他極は図２０に示すように内刃収納室の底部に位置させる導電板５１に接続しても、髭の起毛作用を得ることができ、また剃った髭くずは誘導帯電現象により導電板５１側に吸い寄せられるために集塵効果も得ることができる。
【００３３】
トリマー部６を備えた電気かみそりにおいては、図２１に示すように、外刃４に高電圧発生回路５の電源側を接続し、高電圧発生回路５を通してトリマー部６に他極を接続し、外刃４に対してトリマー部６に−０．１ｋＶ〜−１００ｋＶ程度の直流高電圧を印加すると、剃られた髭くずは誘導帯電現象によってイオン化されてトリマー部６側に引き寄せられる。従って、外刃４の内部に入らなかった髭くずは飛散することなく、トリマー部６に引き寄せられるものであり、従って、トリマー部６に集塵部６０を設けておけば、この集塵部６０に髭くずを集めることができる。
【００３４】
外刃４に電源側を接続するのではなく、図２２に示すように、内刃３に接続してもよく、さらに図２３に示すように、内刃収納室底部に配した導電板５１に接続してもよい。
【００３５】
ところで高電圧発生回路５のオンオフは、図２４に示すように、内刃３の駆動用のモータＭのためのオンオフ用スイッチ７によって同時に行われるようにしておけばよいが、外刃フレーム４０が本体ハウジング１に対して開閉自在となっている場合、外刃フレーム４０の開閉に連動するスイッチ８を設けて、図２５に示すように、該スイッチ８で高電圧発生回路５をオンオフするようにしておくとよい。外刃フレーム４０が閉じられている時だけ、高電圧が発生するようにしておくのである。もちろん、スイッチ７とスイッチ８とを高電圧発生回路５とを直列に接続しておいてもよい。
【００３６】
図２６に他例を示す。これは放電電極５０として、導電板５０に先端を向けた針状のもの５０ａと、導電板５１と逆方向を向いた針状のもの５０ｂとを設けて高電圧発生回路５に導電板５１と放電電極５０ａ，５０ｂとを接続するとともに、高電圧発生回路５と各放電電極５０ａ，５０ｂとの間にスイッチ７に連動するスイッチ７ａ，７ｂを設けたもので、スイッチ７がオンの時にはスイッチ７ａも閉じて放電電極５０ａと導電板５１との間に高電圧を印加し、コロナ放電を生じさせて髭くずが導電板５１に押しつけられ、スイッチ７がオフの時にはスイッチ７ｂが閉じて放電電極５０ｂと導電板５１との間に高電圧を印加し、コロナ放電による電界によって抗菌作用が発生するようにしたものである。
【００３７】
【発明の効果】
以上のように本発明においては、刃が配されたヘッド部に放電電極を設けて、一極が上記ヘッド部の刃における内刃に接続された高電圧発生回路の他極を上記放電電極に接続してこの放電電極を内刃収納室の底部に配したり、放電電極を内刃駆動用の駆動子における内刃との係合連結部としたり、内刃は複数のアーチ状ブレードが並ぶ往復動型のものとして高電圧発生回路の他極の放電電極は各アーチ状ブレードの中心部に配設したり、内刃は複数のブレードが並ぶ往復動型のものとして高電圧発生回路の他極の放電電極は各ブレードの間に配設したり、内刃は複数の独立したブレードが並ぶ往復動型のものとし、高電圧発生回路の一極に接続されたブレードと高電圧発生回路の他極の放電電極としてのブレードとを交互に並べたものとしたりしているために、高電圧発生回路の一極と他極である放電電極との間に高電圧を印加することで、コロナ放電による電界で抗菌作用を発生させて内刃に付着した髭くずや脂質による菌の発生を防止して、いやな臭いが生じることを抑制したり、Ｇｒａｄｉｅｎｔ力で髭くずを内刃収納室内に導いたり、帯電させた髭くずを電極に吸着させたりすることで、髭くずの飛散を防止したりすることができる。
【００３８】
刃が配されたヘッド部に放電電極を設けて、一極が上記ヘッド部に接続された高電圧発生回路の他極を上記放電電極に接続するとともに、高電圧発生回路の一極を内刃収納室の底部に配したものや、刃が配されたヘッド部に放電電極を設けて、一極が上記ヘッド部に接続された高電圧発生回路の他極を上記放電電極に接続したものであって、ヘッド部における内刃を配した内刃収納室の底部に互いに逆方向に傾斜して中間部が低くなった対の電極を設けて、一方の電極を高電圧発生回路の一極とし、他方の電極を高電圧発生回路の放電電極としたものや、刃が配されたヘッド部に放電電極を設けて、一極が上記ヘッド部に接続された高電圧発生回路の他極を上記放電電極に接続したものであって、高電圧発生回路の一極をヘッド部における内刃を配した内刃収納室内に位置させた外部放電板とし、高電圧発生回路の他極をヘッド部に設けたものや、あるいは刃が配されたヘッド部とトリマー部とを備えた電気かみそりにおいて、ヘッド部に放電電極を設けて、一極が上記トリマー部に接続された高電圧発生回路の他極を上記放電電極に接続したものにおいても、高電圧発生回路の一極と他極である放電電極との間に高電圧を印加することで、コロナ放電による電界で抗菌作用を発生させて内刃に付着した髭くずや脂質による菌の発生を防止して、いやな臭いが生じることを抑制したり、Ｇｒａｄｉｅｎｔ力で髭くずを内刃収納室内に導いたり、帯電させた髭くずを電極に吸着させたりすることで、髭くずの飛散を防止したりすることができる。

【００３９】
刃が配されたヘッド部に放電電極を設けて、一極が上記ヘッド部に接続された高電圧発生回路の他極を上記放電電極に接続したものであって、一極に対する向きが異なる複数の放電電極を設けるとともに、他極である放電電極を切り換え自在としているものにおいては、放電電極を切り換えることによって異なる作用を選択的に得ることができる。
【図面の簡単な説明】
【図１】本発明の実施の形態の一例の斜視図である。
【図２】同上の他例の斜視図である。
【図３】同上の別の例の部分正面図である。
【図４】同上の更に別の例の部分正面図である。
【図５】同上の他例を示すもので、(a)は斜視図、(b)は概略断面図である。
【図６】別の例の斜視図である。
【図７】同上の他の例の斜視図である。
【図８】同上の更に他例の斜視図である。
【図９】同上の別の例の概略断面図である。
【図１０】同上の更に別の例の斜視図である。
【図１１】異なる例の概略断面図である。
【図１２】他例の断面図である。
【図１３】同上の別の例の断面図である。
【図１４】同上の更に別の例の断面図である。
【図１５】他例の斜視図ある。
【図１６】同上の使用状態を示す側面図である。
【図１７】同上の他の例の斜視図である。
【図１８】同上の作用を示す概略断面図である。
【図１９】同上の別の例の概略断面図である。
【図２０】同上の更に別の例の斜視図である。
【図２１】異なる例の概略側面図である。
【図２２】同上の他例の概略側面図である。
【図２３】同上の別の例の概略側面図である。
【図２４】一例におけるブロック回路図である。
【図２５】他例のブロック回路図である。
【図２６】別の例の概略断面図である。
【符号の説明】
３  内刃
５  高電圧発生回路
５０  放電電極
【図１】
0003915255.tif 000002
【図２】
0003915255.tif 000003
【図３】
0003915255.tif 000004
【図４】
0003915255.tif 000005
【図５】
0003915255.tif 000006
【図６】
0003915255.tif 000007
【図７】
0003915255.tif 000008
【図８】
0003915255.tif 000009
【図９】
0003915255.tif 000010
【図１０】
0003915255.tif 000011
【図１１】
0003915255.tif 000012
【図１２】
0003915255.tif 000013
【図１３】
0003915255.tif 000014
【図１４】
0003915255.tif 000015
【図１５】
0003915255.tif 000016
【図１６】
0003915255.tif 000017
【図１７】
0003915255.tif 000018
【図１８】
0003915255.tif 000019
【図１９】
0003915255.tif 000020
【図２０】
0003915255.tif 000021
【図２１】
0003915255.tif 000022
【図２２】
0003915255.tif 000023
【図２３】
0003915255.tif 000024
【図２４】
0003915255.tif 000025
【図２５】
0003915255.tif 000026
【図２６】
0003915255.tif 000027